(57)【要約】【課題】本発明は、ビデオ装置の再生効果を容易に制御できる携帯電子装置及びその制御方法を提供することを目的とする。【解決手段】本発明の携帯電子装置は、映像を表示するビデオ装置の再生効果を制御し、且つビデオ装置の表示映像及びビデオ装置の周囲の背景映像を含む映像を収集する映像収集ユニットと、収集されたビデオ装置の表示映像とビデオ装置の周囲の背景映像との差異を分析して取得し、該差異に基づいて映像補償信号を生成する映像分析ユニットと、映像補償信号をビデオ装置に伝送して、ビデオ装置の表示映像を調整する通信ユニットと、を備える。【選択図】図２
2014007741.tif 000002
【特許請求の範囲】
【請求項１】
映像を表示するビデオ装置の再生効果を制御する携帯電子装置において、
前記ビデオ装置の表示映像及び前記ビデオ装置の周囲の背景映像を含む映像を収集する映像収集ユニットと、
収集された前記ビデオ装置の表示映像と前記ビデオ装置の周囲の背景映像との差異を分析して取得し、前記差異に基づいて映像補償信号を生成する映像分析ユニットと、
前記映像補償信号を前記ビデオ装置に伝送して、前記ビデオ装置の表示映像を調整する通信ユニットと、を備えることを特徴とする携帯電子装置。
【請求項２】
前記ビデオ装置の表示映像は映像形成区域内に形成され、前記周囲の背景映像は映像形成区域外に形成されることを特徴とする請求項１に記載の携帯電子装置。
【請求項３】
前記映像補償信号は、前記ビデオ装置の表示映像と前記ビデオ装置の周囲の背景映像との色彩差異を含み、且つ前記ビデオ装置の表示映像の色彩に対して調節することを特徴とする請求項１又は２に記載の携帯電子装置。
【請求項４】
前記映像補償信号は、前記ビデオ装置の表示映像と前記ビデオ装置の周囲の背景映像との色温度差異又は輝度差異を含み、且つ前記ビデオ装置の表示映像の色温度又は輝度に対して調節することを特徴とする請求項１から３のいずれか一項に記載の携帯電子装置。
【請求項５】
前記ビデオ装置は音声をさらに出力し、前記携帯電子装置は、周囲環境のノイズを収集する音声収集ユニットと、前記周囲環境のノイズに基づいて音声補償信号を生成して、前記ビデオ装置が出力する音声を調節する音声分析ユニットと、をさらに備えることを特徴とする請求項１から４のいずれか一項に記載の携帯電子装置。
【請求項６】
映像を表示するビデオ装置の再生効果を制御する方法において、
前記ビデオ装置の表示映像及び前記ビデオ装置の周囲の背景映像を含む映像を収集するステップと、
前記ビデオ装置の表示映像と前記ビデオ装置の周囲の背景映像との差異を分析して取得するステップと、
前記差異に基づいて映像補償信号を生成するステップと、
前記映像補償信号を前記ビデオ装置に伝送して、前記ビデオ装置の表示映像を調整するステップと、を含むことを特徴とするビデオ装置の再生効果の制御方法。
【請求項７】
前記ビデオ装置の表示映像は、映像形成区域内に形成され、前記周囲の背景映像は、映像形成区域外に形成されることを特徴とする請求項６に記載のビデオ装置の再生効果の制御方法。
【請求項８】
前記ビデオ装置の再生効果の制御方法は、
周囲環境のノイズを収集するステップと、
前記周囲環境のノイズに基づいて音声補償信号を生成するステップと、
前記音声補償信号を前記ビデオ装置に伝送して、前記ビデオ装置が出力する音声を調整するステップと、を含むことを特徴とする請求項６又は７に記載のビデオ装置の再生効果制御方法。
【発明の詳細な説明】
【技術分野】
【０００１】
本発明は、携帯電子装置及びその制御方法に関し、特にビデオ装置の再生効果を容易に制御できる携帯電子装置及びその制御方法に関するものである。
【背景技術】
【０００２】
従来のテレビ、ディスプレイ等のビデオ装置が出力する映像及び音声は、周囲の環境の変化の影響を受ける。従って、一般的には、ビデオ装置における映像及び音声の制御パラメーターに対して手動で調節して、比較的優れた映像及び音声を取得する。しかし、このような操作は複雑で、且つ不便である。
【発明の概要】
【発明が解決しようとする課題】
【０００３】
以上の問題点に鑑みて、本発明は、ビデオ装置の再生効果を容易に制御できる携帯電子装置及びその制御方法を提供することを目的とする。
【課題を解決するための手段】
【０００４】
上記の課題を解決するために、本発明の携帯電子装置は、映像を表示するビデオ装置の再生効果を制御し、且つ前記ビデオ装置の表示映像及び前記ビデオ装置の周囲の背景映像を含む映像を収集する映像収集ユニットと、収集された前記ビデオ装置の表示映像と前記ビデオ装置の周囲の背景映像との差異を分析して取得し、前記差異に基づいて映像補償信号を生成する映像分析ユニットと、前記映像補償信号を前記ビデオ装置に伝送して、前記ビデオ装置の表示映像を調整する通信ユニットと、を備える。
【０００５】
また、上記の課題を解決するために、本発明のビデオ装置の再生効果の制御方法は、前記ビデオ装置の表示映像及び前記ビデオ装置の周囲の背景映像を含む映像を収集するステップと、前記ビデオ装置の表示映像と前記ビデオ装置の周囲の背景映像との差異を分析して取得するステップと、前記差異に基づいて映像補償信号を生成するステップと、前記映像補償信号を前記ビデオ装置に伝送して、前記ビデオ装置の表示映像を調整するステップと、を含む。
【発明の効果】
【０００６】
本発明に係る携帯電子装置及びその制御方法において、ビデオ装置の周囲の背景及び周囲のノイズに基づいて、映像効果及び音声効果に対して自動的に調節するので便利である。また、背景映像とビデオ装置の表示映像とは同じ条件下で形成され、且つ両者の差異に基づいてビデオ装置の表示映像を補償するので、ビデオ装置の表示効果とビデオ装置の周囲環境が人の視覚に与える効果とは同じである。従って、ビデオ装置の表示は人にリアリティを与える。また、ビデオ装置の周囲のノイズに基づいてビデオ装置が出力する音声を補償するので、ビデオ装置が出力する音声は、周囲環境のノイズから受ける影響が少ない。
【図面の簡単な説明】
【０００７】
【図１】本発明に係るビデオシステムを示す図である。
【図２】本発明に係るビデオシステムの機能ブロック図である。
【図３】図１に示したビデオシステムが撮影した映像を示す図である。
【図４】本発明に係るビデオシステムが映像を調節する制御方法のフローチャートである。
【図５】本発明に係るビデオシステムが音声を調節する制御方法のフローチャートである。
【発明を実施するための形態】
【０００８】
以下、図面に基づいて、本発明に係る携帯電子装置及びその制御方法について詳細に説明する。
【０００９】
図１を参照すると、ビデオシステム１００は、ビデオ装置１０及び該ビデオ装置１０を制御するための携帯電子装置２０を備える。携帯電子装置２０は、リモコン、携帯電話、個人情報端末（ＰＤＡ）、タブレットパソコン等である。携帯電子装置２０とビデオ装置１０とは、無線通信（例えば、ＷｉＦｉ通信、ブルートゥース（登録商標）通信、赤外線通信等）を行う。ビデオ装置１０は、テレビ、ディスプレイ等である。本実施形態において、ビデオ装置１０は映像を表示し、且つ音声を出力する。携帯電子装置２０とビデオ装置１０とはＷｉＦｉ通信を行う。
【００１０】
図２に示したように、ビデオ装置１０は、通信ユニット１１、信号分離ユニット１２、音声処理ユニット１３及び映像処理ユニット１４を備え、携帯電子装置２０は、命令生成ユニット２１、通信ユニット２２、映像収集ユニット２３、映像分析ユニット２４、音声収集ユニット２５及び音声分析ユニット２６を備える。
【００１１】
命令生成ユニット２１は、ユーザーの操作に応答して接続命令を生成する。
【００１２】
通信ユニット２２は、前記接続命令に応答してビデオ装置１０と無線接続を確立し、且つビデオ装置１０と無線接続された後起動命令を生成する。
【００１３】
映像収集ユニット２３は、前記起動命令に応答して起動され、且つ映像を収集する。映像収集ユニット２３は、映像形成区域２３０を含む（図３を参照）。前記収集された映像は、ビデオ装置１０の表示映像及びビデオ装置１０の周囲の背景映像を含む。ビデオ装置１０の表示映像は映像形成区域２３０内に形成され、周囲の背景映像は映像形成区域２３０外に形成される。
【００１４】
映像分析ユニット２４は、ビデオ装置１０の表示映像とビデオ装置１０の周囲の背景映像との差異を分析して取得し、該差異に基づいて映像補償信号を生成し、通信ユニット２２を介してその映像補償信号をビデオ装置１０に伝送する。具体的には、映像分析ユニット２４が、映像形成区域２３０内の映像と映像形成区域２３０外の映像とを比較して、ビデオ装置１０の表示映像とビデオ装置１０の周囲の背景映像との色彩差異を取得する。該色彩差異は色温度差異又は輝度差異である。
【００１５】
音声収集ユニット２５は前記起動命令に応答して起動され、且つ周囲環境のノイズを収集する。音声収集ユニット２５はマイクロフォンである。
【００１６】
音声分析ユニット２６は、該周囲環境のノイズに基づいて音声補償信号を生成し、通信ユニット２２を介してその音声補償信号をビデオ装置１０に伝送する。
【００１７】
通信ユニット１１は、携帯電子装置２０からの映像補償信号及び音声補償信号を受信する。
【００１８】
信号分離ユニット１２は、受信した信号から映像補償信号と音声補償信号とを分離させ、映像処理ユニット１４と音声処理ユニット１３とにそれぞれ伝送する。
【００１９】
映像処理ユニット１４は、受信した前記映像補償信号に基づいてビデオ装置１０の表示映像を調整する。即ち、映像処理ユニット１４は、映像収集ユニット２３によって形成されたビデオ装置１０の表示映像と、ビデオ装置１０の周囲の背景映像との差異をビデオ装置１０の表示映像に補償する。
【００２０】
音声処理ユニット１３は、受信した前記音声補償信号に基づいてビデオ装置１０が出力する音声を調整する。
【００２１】
図４及び図５に示したように、ビデオ装置の再生の制御方法は、映像制御方法（図４）及び音声制御方法（図５）を含む。これら映像制御方法及び音声制御方法は、同時に起動する又はそれぞれ単独で起動することができる。
【００２２】
以下、図４及び図５を参照しながら、映像制御方法及び音声制御方法について、単独で起動することを例として説明する。
【００２３】
映像制御方法は、以下のステップ（Ｓ４０１〜Ｓ４０９）を含む。
【００２４】
ステップＳ４０１において、携帯電子装置２０とビデオ装置１０との接続を確立する。
【００２５】
ステップＳ４０３において、ビデオ装置１０の表示映像及びビデオ装置１０の周囲の背景映像を含む映像を収集する。この時、ビデオ装置１０の表示映像は映像形成区域２３０内に形成され、周囲の背景映像は映像形成区域２３０外に形成される。
【００２６】
ステップＳ４０５において、ビデオ装置１０の表示映像とビデオ装置１０の周囲の背景映像との差異を分析して取得する。前記差異は色彩差異であり、この色彩差異は色温度差異又は輝度差異である。
【００２７】
ステップＳ４０７において、前記差異に基づいて映像補償信号を生成する。
【００２８】
ステップＳ４０９において、前記映像補償信号をビデオ装置１０に伝送して、ビデオ装置１０の表示映像を調整する。
【００２９】
音声制御方法は、以下のステップ（Ｓ５０１〜Ｓ５０７）を含む。
【００３０】
ステップＳ５０１において、携帯電子装置２０とビデオ装置１０との接続を確立する。
【００３１】
ステップＳ５０３において、周囲環境のノイズを収集する。
【００３２】
ステップＳ５０５において、該周囲環境のノイズに基づいて音声補償信号を生成する。
【００３３】
ステップＳ５０７において、前記音声補償信号をビデオ装置１０に伝送して、ビデオ装置１０が出力する音声を調整する。
【００３４】
本発明に係る携帯電子装置１０及びその制御方法において、ビデオ装置１０の周囲の背景及び周囲のノイズに基づいて、映像効果及び音声効果に対して自動的に調節するので便利である。また、背景映像とビデオ装置１０の表示映像とは同じ条件下で形成され、且つ両者の差異に基づいてビデオ装置１０の表示映像を補償するので、ビデオ装置１０の表示効果とビデオ装置１０の周囲環境が人の視覚に与える効果とは同じである。従って、ビデオ装置１０の表示は人にリアリティを与える。また、ビデオ装置１０の周囲のノイズに基づいてビデオ装置１０が出力する音声を補償するので、ビデオ装置１０が出力する音声は、周囲環境のノイズから受ける影響が少ない。
【００３５】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３６】
１００    ビデオシステム
１０    ビデオ装置
１１    通信ユニット
１２    信号分離ユニット
１３    音声処理ユニット
１４    映像処理ユニット
２０    携帯電子装置
２１    命令生成ユニット
２２    通信ユニット
２３    映像収集ユニット
２４    映像分析ユニット
２５    音声収集ユニット
２６    音声分析ユニット
２３０    映像形成区域
【図１】
2014007741.tif 000003
【図２】
2014007741.tif 000004
【図３】
2014007741.tif 000005
【図４】
2014007741.tif 000006
【図５】
2014007741.tif 000007